(57)【要約】【課題】階段に設置する手摺を上下何れの方向からの外力にも十分に抵抗でき且つ取付作業性およびデザイン性に優れた階段用手摺の取付構造を提供する。【解決手段】階段用桁Ｋの上方に踏板支持用ブラケット２０を固定し、当該ブラケット２０の上に踏板４０を支持し且つ固定する階段Ｓに固定される階段用手摺Ｔの取付構造であって、係る手摺Ｔは、複数の支柱５０、係る支柱５０の上端に固定される笠木６０、および上記支柱５０の下端に固定されるベース部材５４を含み、係るベース部材５４は、上記踏板支持用ブラケット２０の上面２１に設けた凹部２２に挿入して固定されると共に、上記支柱５０は、上記踏板４０に穿孔した挿通孔４２を貫通し且つ上記ベース部材５４の筒体５５に皿ネジ５９ａによって固定される、階段用手摺の取付構造。【選択図】  図５
2004176406.tif 000002
【特許請求の範囲】
【請求項１】
階段用桁に踏板支持用ブラケットを固定し、当該ブラケットの上に踏板を支持および固定する階段に固定される手摺の取付構造であって、
上記手摺は、複数の支柱、係る支柱の上端に固定される笠木、および前記支柱の下端に固定されるベース部材を含み、
上記ベース部材は、上記踏板支持用ブラケットの上面に設けた凹部に挿入して固定されると共に、
上記支柱は、上記踏板に設けた挿通孔または切り欠き部を貫通して上記ベース材部に固定される、ことを特徴とする階段用手摺の取付構造。
【請求項２】
前記ベース部材は、前記支柱の中空部に挿入して固定される筒部と、係る筒部の下端に位置し且つ前記踏板支持用ブラケットの凹部に挿入して固定されるベース板と、からなる、
ことを特徴とする請求項１に記載の階段用手摺の取付構造。
【請求項３】
前記ベース部材は、前記踏板支持用ブラケットの凹部に挿入して固定されるベース板からなり、係るベース板を貫通するネジが前記支柱に設けたネジ受けに螺入することにより、前記支柱に固定される、
ことを特徴とする請求項１に記載の階段用手摺の取付構造。
【請求項４】
前記踏板支持用ブラケットの凹部は、底面寄りが幅広の底広凹溝であり、前記ベース部材のベース板は、上記底広凹溝に両側辺の底面寄りに突出した一対の凸条を上記底広凹溝に嵌合して固定される、
ことを特徴とする請求項２または３に記載の階段用手摺の取付構造。
【請求項５】
前記踏板支持用ブラケットは、前記凹部を上面に有し且つ前記階段用桁の上面に面接触可能な断面を有するアルミニウム合金の押出形材からなる、ことを特徴とする請求項１乃至４の何れか一項に記載の階段用手摺の取付構造。
【請求項６】
前記踏板支持用ブラケットは、平行な一対の階段用桁の上に跨って固定されるか、あるいは平行な一対の階段用桁の上に個別に固定される、ことを特徴とする請求項１乃至５の何れか一項に記載の階段用手摺の取付構造。
【発明の詳細な説明】
【０００１】
【発明の属する技術分野】
本発明は、階段用手摺の取付構造に関し、特に階段用桁に対する手摺用支柱の取付構造に関する。
【０００２】
【従来の技術】
従来における階段用手摺は、図１１（Ａ）に示すように、踏板部１００にボルト１０５によって支持金具１０２のフランジ１０３を固定し、係る金具１０２の凹部１０４に支柱１０８を挿入し、上記金具１０２に明けた複数の調整孔１０６の何れかに選択的に高さ調整ピン１０７を挿入することで、複数の支柱１０８を踏板１００上に立設させるものがある（例えば、特許文献１参照）。
尚、図１１（Ａ）に示すように、複数の支柱１０８の上に跨って笠木１０９が固定されることにより、階段用手摺１０１が形成される。
また、図１１（Ｂ）に示すように、踏板１１０を両側で支持・固定するササラ桁１１２の外側にボルト１１３およびナット１１４によって手摺用支柱１１５を立設して固定するものもある（例えば、特許文献２参照）。尚、図１１（Ｂ）に示すように、複数の支柱１１５の上下に笠木１１６や下桟１１７が掛け止めされ、これらの間に複数の手摺子１１８を立設して階段用手摺１１１を形成している。
【０００３】
【特許文献１】
特開２００２−１１５３８２号公報（（００１０）〜（００２２）、図１〜図４）
【特許文献２】
特開平７−１９７６１６号公報（（００２１）〜（００２２）、図８〜図１０）
【０００４】
しかしながら、特許文献１に開示された階段用手摺１０１では、高さ調整ピン１０７の剪断抵抗のみで当該手摺１０１の上方への抜け出しを防止しているため、安全上の上の観点で不十分である。しかも、踏板１００の上に支持金具１０２の全体が露出しているため、意匠性が低く、特にデザイン性が要求される住宅や施設などの建物の階段には不向きである。
また、特許文献２に開示された階段用手摺１１１では、ササラ桁１１２に複数のボルト１１３を貫通してナット１１４と締結するため、手摺１１１の取付作業に労力を要する共に、係るボルト１１３の剪断抵抗のみにより手摺１１１の上方への抜け出しを防止しているため、安全上の観点から不十分である。しかも、ボルト１１３の頭が突出するため、スペースを要し且つ見栄えが劣る問題もある。
【０００５】
【発明が解決すべき課題】
本発明は、以上に説明した従来の技術における問題点を解決し、階段に設置する階段用手摺を上下何れの方向からの外力にも十分に抵抗でき且つ取付作業性およびデザイン性に優れた階段用手摺の取付構造を提供する、ことを課題とする。
【０００６】
【課題を解決するための手段および発明の効果】
本発明は、上記課題を解決するため、階段用桁の上に配置される踏板を専用の支持ブラケットを介して固定し且つ係るブラケットに手摺用支柱の下端を抜け出し不能に固定する、ことに着想して成されたものである。
即ち、本発明による階段用手摺の取付構造（請求項１）は、階段用桁に踏板支持用ブラケットを固定し、当該ブラケットの上に踏板を支持および固定する階段に固定される手摺の取付構造であって、係る手摺は、複数の支柱、係る支柱の上端に固定される笠木、および上記支柱の下端に固定されるベース部材を含み、係るベース部材は、上記踏板支持用ブラケットの上面に設けた凹部に挿入して固定されると共に、上記支柱は、上記踏板に設けた挿通孔または切り欠き部を貫通して上記ベース部材に固定される、ことを特徴とする。
【０００７】
これによれば、階段用手摺を形成する複数の支柱は、それらの下端に固定した固定部材が踏板支持用ブラケットの凹部に挿入され且つ固定されることにより、所定の位置に精度良く立設される。しかも、上記支柱は、踏板支持用ブラケットの上に固定される踏板の挿通孔または切り欠き部を貫通するため、上記笠木を含む支柱に上向きの外力が働いても抜け出すおそれは殆どない。従って、階段用手摺を比較的容易な作業によって、極めて安全に取り付けることができる。
更に、階段用手摺の各支柱の下端に固定するベース部材は、踏板により上方から覆われるため、デザイン性にも優れた階段用手摺を構成することができる。
尚、前記階段用桁には、踏板の中央を支持・固定する中桁、および踏板の両側を支持・固定する一対の側桁の双方が含まれる。また、係る階段用桁には、木材製やＩ型鋼などの型鋼などの他、後述するトラス構造を有する形態も含まれる。
【０００８】
また、本発明には、前記ベース部材は、前記支柱の中空部に挿入して固定される筒部と、係る筒部の下端に位置し且つ前記踏板支持用ブラケットの凹部に挿入して固定されるベース板と、からなる、階段用手摺の取付構造（請求項２）も含まれる。これによれば、階段用桁の上に固定した踏板支持用ブラケットの凹部に、上記ベース部材のベース板を挿入して固定し、係るベース部材の筒体を上記ブラケット上に固定した踏板の挿通孔または切り欠き部に貫通させることにより、階段の組み立ておよび階段用手摺の基礎部分の配置を容易に行うことができる。
【０００９】
そして、踏板の上方に突出した上記ベース部材の筒体に、支柱の中空部を挿入して固定し且つ係る支柱の上端に笠木を固定するか、あるいは予め複数の支柱の上端に跨って笠木を傾斜して固定した手摺ユニットを組み立てておき、係るユニットの各支柱の中空部に上記筒体を挿入して固定する。この結果、階段用手摺を比較的簡単な作業によって精度良く且つ迅速に取り付けることができ、特に後者の手順では係る効果が顕著である。
尚、本発明における階段用手摺には、複数の支柱および笠木のみからなる形態の他、複数の支柱間に落下防止用のパネル板を配置し形態や、複数の支柱間の下部に下桟を連結した形態も含まれる。また、踏板に設ける挿通孔や切り欠き部は、これらを貫通するベース部材の筒体の断面よりも大きめの寸法に設定される。
【００１０】
更に、本発明には、前記ベース部材は、前記踏板支持用ブラケットの凹部に挿入して固定されるベース板からなり、係るベース板を貫通するネジが前記支柱に設けたネジ受けに螺入することにより、前記支柱に固定される、階段用手摺の取付構造（請求項３）も含まれる。これによれば、ベース部材はベース板のみからなる簡単な形態となる共に、予め支柱の下端にネジ止めした係るベース板を、踏板支持用ブラケットの凹部に挿入し且つ固定することにより、階段用手摺の支柱を上記ブラケットに迅速に固定することができる。
尚、挿通孔を設けた踏板の場合は、上記立設する支柱を係る挿通孔に差し通す作業が必要となるが、切り欠き部を設けた踏板の場合は、係る踏板を例えば傾斜させ且つその左右両側の短辺に開口する各切り欠き部に上記立設する支柱を差し通すことにより、当該踏板を前記ブラケットの上に固定できる。また、階段用手摺の上記支柱には、中空部および任意数のネジ受け（ビスホール）を一体に有するアルミニウム合金からなる押出形材が好適に用いられる。
【００１１】
また、本発明には、前記踏板支持用ブラケットの凹部は、底面寄りが幅広の底広凹溝であり、前記ベース部材のベース板は、上記底広凹溝に両側辺の底面寄りに突出した一対の凸条を上記底広凹溝に嵌合（挿入）して固定される、階段用手摺の取付構造（請求項４）も含まれる。これによれば、筒体を有する形態か否かに拘わらず、上記ベース板を下端に固定した支柱を含む階段用手摺が上向きの外力を受けても強固に抵抗できるため、一層安全性が高められる。
【００１２】
更に、本発明には、前記踏板支持用ブラケットは、前記凹部を上面に有し且つ前記階段用桁の上面に面接触可能な断面を有するアルミニウム合金の押出形材からなる、階段用手摺の取付構造（請求項５）も含まれる。
これによれば、階段用桁の上に上記ブラケットを、凹部を含むその上面を水平状態にして容易且つ確実に固定することができる。しかも、上記ブラケットはアルミニウム合金の押出形材からなるため、上面の凹部を前記底広凹溝とすることも極めて容易てなる。
【００１３】
加えて、本発明には、前記踏板支持用ブラケットは、平行な一対の階段用桁の上に跨って固定されるか、あるいは平行な一対の階段用桁の上に個別に固定される、階段用手摺の取付構造（請求項６）も含まれる。
これによれば、一対の階段用桁の上に跨って長尺な踏板支持ブラケットを固定したり、あるいは各桁ごとに短尺な踏板支持用ブラケットを固定することができ、これらの上に１枚の踏板にを固定することにより、当該階段の設置位置に応じてデザインの多様化を図ることが容易となる。特に、踏板支持用ブラケットを前記押出形材にした場合には、その押出方向と直交して切断する長さを選択することにより、所定長さの上記ブラケットを容易に形成することができる。
尚、階段用桁が踏板の中央を下から支持する中桁の場合は、当該踏板に応じた長尺な踏板支持ブラケットが用いられる。
【００１４】
【発明の実施の形態】
以下において、本発明の実施に好適な形態を図面と共に説明する。
図１は、本発明による階段用手摺の取付構造を適用した階段Ｓおよびこれに取り付けた階段用手摺Ｔ（以下、単に手摺Ｔとする）を示す側面図である。
上記階段Ｓは、図１に示すように、階段用桁Ｋ、その上に固定される複数の踏板４０、および両者の間に配置される踏板支持用ブラケット２０からなる。また、上記手摺Ｔは、複数の踏板４０上における両側または一側に個別に立設する支柱５０と、これらの支柱５０の上端に跨って傾斜して固定される笠木６０と、隣接する支柱５０，５０間に配置されるパネル板Ｐとから構成されている。
図１に示すように、上記笠木６０は、垂直な下端部６２と水平な上端部６４とを有し、各パネル板Ｐは、金具６６を介して、隣接する支柱５０に固定される。
【００１５】
階段用桁Ｋは、図１，図２（Ｂ）に示すように、左右一対の平行な上弦材１ａ，１ｂと、これらを水平に連結する連結材９と、上弦材１ａ，１ｂの中間の下方に位置し且つ平行な下弦材１ｃと、上弦材１ａ，１ｂおよび下弦材１ｃを連結するラチス材１２〜１５と、を備えた三角柱を呈するトラス構造の中桁である。
上弦材１ａ，１ｂ、下弦材１ｃ、および連結材９は、図２（Ａ）に示すように、アルミニウム合金などのパイプからなり、その両端にテーパ部３を介して偏平で且つ両側面に複数の凹凸を軸方向に沿って設けた接続部４を有する。
また、ラチス材１２〜１５は、上記と同じパイプからなるが、その両端にテーパ部３および接続部４を軸方向に対し傾斜しつつ形成している。
【００１６】
図２（Ｂ）に示すように、上弦材１ａ，１ａ間、上弦材１ｂ，１ｂ間、および上弦材１ａ，１ｂ間は、節点部材であるハブ６により連結され、下弦材１ｃ，１ｃ間は、同様のハブ１０により連結される。また、ラチス材１２〜１５は、係るハブ６，１０間をそれぞれ斜めに連結する。
ハブ６，１０は、図２（Ａ）に示すように、アルミニウム合金の押出形材を所定長さで切断したもので、全体がほぼ円柱形を呈し、その中心に沿って貫通する連結孔８と、その周面に軸方向に沿い且つ放射状に形成された複数の接続溝７とを有している。係る接続溝７には、上弦材１ａなどの接続部４が挿入可能で且つ抜け出し不能となるような凹凸形状が径方向に沿って付されている。
【００１７】
図１，図２（Ｂ）に示すように、階段用桁Ｋは、ハブ６，１０を節点部材とする多数の上弦材１ａ，１ｂ、下弦材１ｃ、連結材９、およびラチス材１２〜１５により形成され、これらの構成部材がほぼ正三角形を交互に逆向きにし且つ連続して形成している。このため、何れの上記構成部材の軸方向に沿った引張り力および圧縮力が作用しても、十分な支持強度を発揮することができる。
尚、図１に示すように、階段用桁Ｋは、階下フロアＦ１上に金具ｅ１，ｅ２を介して下端のハブ６，１０を固定し、階上フロアＦ２の側面に金具ｅ３を介して上端のハブ６を固定することにより、フロアＦ１，Ｆ２間に斜めに固定される。
【００１８】
踏板支持用ブラケット２０は、アルミニウム合金（例えば、ＪＩＳ：Ａ６０６３−Ｔ５）の押出形材を所定長さで切断したもので、図３に示すように、断面全体が変形５角形を呈する。係るブラケット２０は、凹部２２を中央に有する水平な上面２１、前記階段用桁Ｋの上弦材１ａ，１ｂとほぼ面接触可能に傾斜する傾斜面２４、係る傾斜面２４の反対側に位置する幅広の傾斜面２６、および上記断面形状にほぼ倣った中空部２３を全長（押出方向）に沿って備えている。
図３，図４に示すように、係るブラケット２０の中空部２３における上面２１の下側の左右には、断面が矩形で下向きに幅の狭い開口部を有するナット挿入溝２５，２５が、凹部２２の下側には、上記同様の断面形状のナット挿入溝２７，２７が、それぞれ長手方向に沿って一体に形成されている。
【００１９】
尚、図３に示すように、凹部２２の両端寄りの少なくとも一方には、後述するベース板を固定するボルト用の通し孔２８が４個ずつ穿孔されている。また、踏板支持用ブラケット２０の左右両端面には、その断面形状と同じキャップ３０が固定される。係るキャップ３０は、図３に示すように、その内側面３２の上辺に沿って前記中空部２３に挿入可能な複数の凸条３４が突設されている。
図１，３，４に示すように、階段用桁Ｋの上弦材１ａ，１ｂなどの上に、複数の踏板支持用ブラケット２０がその傾斜面２４を面接触するように固定される。
この固定は、図４に示すように、上記ブラケット２０の中空部２３側から挿入されたボルト１７が、上弦材１ａ，１ｂの上に載置したズレ止め材３６を介して階段用桁Ｋのハブ６（１０）の連結孔８に貫通し、係るハブ６（１０）の下側において当該ハブ６（１０）の底面全体を覆う座金１６を介してナット１８と締結される。係るナット１８には、半球形のカバー１９が被着される。
【００２０】
図３，４に示すように、踏板４０は、上面４１が長方形を呈する木材からなり、左右には支柱５０などを貫通させる一対の挿通孔４２と、それらの幅方向に位置する一対の凹み部４３およびその中心部から底面４５に貫通する通し孔４４と、を対称に形成している。尚、挿通孔４２は、手摺Ｔが階段Ｓの左右何れかのみに取り付けられる場合、係る手摺Ｔが取り付けられる端部側にのみ設けられる。
また、支柱５０は、断面円形で中空部５１ａを有するパイプ５１からなり、その下端寄りには、通し孔５２が穿孔されている。尚、パイプ５１には、アルミニウム合金からなり表面処理された押出形材、または表面塗装した鋼管を用いる。
更に、図１，図３に示すように、複数の支柱５０の上端に跨って、笠木６０を公知の金具などの接続手段を介して固定する共に、隣接する支柱５０，５０間に前記パネル板Ｐを配置することで、手摺Ｔが形成される。
【００２１】
階段Ｓの形成およびこれへの手摺Ｔの取付作業は、以下のようにして行う。
先ず、図３，図４に示すように、階段用桁Ｋの上に踏板支持用ブラケット２０を前述したボルト１７などにより所要数固定する。
次に、上記各ブラケット２０における凹部２２の両端部または一端部に、ベース部材５４のベース板５６を挿入し且つ固定する。係るベース部材５４は、図３に示すように、円筒形で金属製の筒体５５およびその下端に溶接などにより固着した矩形で金属製のベース板５６からなる。上記筒体５５には雌ネジ孔５７が、上記ベース板５４の各コーナー付近には通し孔５８がそれぞれ穿孔されている。
【００２２】
図４に示すように、踏板支持用ブラケット２０における凹部２２の両端部または一端部に、ベース部材５４のベース板５６を挿入した状態で、皿ネジ５９を通し孔５８および凹部２２の底面の各通し孔２８に貫通し、予めナット挿入溝２７内に挿入しておいたナット３７に締結する。この結果、上記ブラケット２０の上にベース部材５４が固定され、その筒体５５が上面２１より高く立設する。
係る状態で、踏板支持用ブラケット２０の両端面に、前記キャップ３０を固定する。係るキャップ３０の固定は、ネジを上記ブラケット２０の図示ないネジ受けに螺入するか、あるいは構造用接着剤の塗布により行う。
【００２３】
次いで、図４に示すように、踏板支持用ブラケット２０の上面２１に踏板４０を載置する。この際、前記一対のベース部材５４の筒体５５を、踏板４０の挿通孔４２に貫通させる。係る状態で、４本のボルト４６を踏板４０の各凹み４３および各通し孔４４に個別に貫通させ、上記ブラケット２０のナット挿入溝２５に予め挿入しておいたナット３８と締結する。この結果、上記ブラケット２０の上に踏板４０が固定され、前記図１に示した階段Ｓが形成される。
更に、図４，図５に示すように、ベース部材５４から立設する筒体５５を支柱５０の中空部５１ａに挿入する。この際、支柱５０の下端付近は、踏板４０の挿通孔４２内に進入する。
【００２４】
尚、図５に示すように、踏板４０の各凹み部４３は蓋４７で上面４１と平坦にして塞がれると共に、係る踏板４０の上面には、滑り止めを兼ねるシート４８が敷設される。こられにより、歩行者は安全に踏板４０の上を歩くことができる。
前記の状態で、皿ネジ５９ａを支柱５０の通し孔５２から挿入し且つベース部材５４の筒体５５の雌ネジ孔５７に螺入する。この結果、図５に示すように、支柱５０は、ベース部材５４を介して踏板支持用ブラケット２０に固定される。
そして、図５に示すように、上記のように立設した複数の支柱５０，５０の上端に金具６８を介して笠木６０を斜めに固定する。最後に、支柱５０，５０間に、金具６６によりアクリル樹脂製のパネル板Ｐを配置する。この結果、前記図１に示したように、階段Ｓに手摺Ｔを取り付けた取付構造を形成できる。
【００２５】
以上のような階段用手摺の取付構造によれば、階段用桁Ｋ上に押出形材からなり所要の断面形状を有する踏板支持用ブラケット２０を固定し、その凹部２２にベース部材５４のベース板５６を挿入して固定した後、係るベース部材５４の筒体５５を踏板４０に貫通させ且つ支柱５０を嵌合して固定する。従って、手摺Ｔを構成する支柱５０は、上記ブラケット２０および踏板４０によって挟まれつつ固定されているため、下向きはもとより上向きの外力に対しても十分に耐えることができる。しかも、ベース板５６は、押出形材からなる上記ブラケット２０の凹部２２に挿入・固定されるため、支柱５０の立設位置の精度が高く、その作業を容易且つ迅速に行うことができる。加えて、手摺Ｔの支柱５０を立設して固定する踏板４０および踏板支持用ブラケット２０には、階段用桁Ｋの上にて歩行者側の視点からボルトなどの突起物がないため、デザイン性の点でも優れている。
【００２６】
図６，図７は、異なる形態の階段用手摺の取付構造に関する。尚、以下において、前記形態と共通する要素や部分には、同じ符号を用いるものとする。
図６に示すように、前記同様に階段用桁Ｋの上に踏板支持用ブラケット２０ａがボルト１７などにより所要数固定される。上記ブラケット２０ａは、前記踏板支持用ブラケット２０と殆ど同じであるが、図６に示すように、上面２１の中央には、底面寄りが幅広で且つ左右の開口部に沿って凸条２１ａを対向して突設した底広凹溝（凹部）２２ａを有する点で相違する。
【００２７】
図６に示すように、ベース部材７０は、ベース板７１のみからなり、その両側辺７２の底面寄りに一対の凸条７４が対称に突出し、複数の通し孔７５が垂直に貫通している。尚、係るベース部材７０は、両側辺７２に凸条７４，７４を一体に有する前記同様の押出形材を所定長さに切断し且つ孔明けしたものである。
また、図６に示すように、手摺Ｔを構成する支柱８０は、前記同様の押出形材を所定の長さで切断したもので、断面が正方形の本体８２、これとほぼ相似形の中空部８４、およびその四隅に位置するネジ受け（ビスホール）８６を有する。
【００２８】
以上のようなベース部材７０および支柱８０を含む手摺Ｔを階段Ｓへ取り付けには、以下のようにして行う。
予め、図６に示すように、階段用桁Ｋの上に踏板支持用ブラケット２０ａを前記同様に固定し、支柱８０の下端にベース部材７０のベース板７１を固定する。係る固定は、ベース板７１の底面７６からネジ７８を貫通させ、係るネジ７８を支柱８０のネジ受け８６に螺入することによって行う。
次に、図７に示すように、踏板支持用ブラケット２０ａの底広凹溝２２ａ内に、支柱８０と共にベース部材７０を側方（水平方向）から嵌合（挿入）する。
【００２９】
この結果、ベース板７１の凸条７４は、底広凹溝２２ａの底面寄りに挿入され且つ一対の凸条２１ａにより上方への移動が不能とされる。係るベース板７１や中空部２３を目隠しするため、上記ブラケット２０ａの両端面に、前記キャップ３０が固定される。係る状態で、皿ネジ５９をベース板７１の通し孔７５および底広凹溝２２ａの底面に位置する通し孔２８に貫通し、予め踏板支持用ブラケット２０ａのナット挿入溝２７に挿入しておいたナット３７に締結する。
【００３０】
更に、図７に示すように、固定された上記ベース板７１から立設する支柱８０を、踏板４０の挿通孔４２ａに貫通させ、当該踏板４０を上記ブラケット２０ａの上面２１に載置する。次いで、前記同様にボルト４６とナット３８とを締結して、踏板４０を上記ブラケット２０ａに固定して階段Ｓを形成する。尚、図７に示すように、蓋４３で凹み４３を塞いで踏板４０の上にシート４８を敷設する。
そして、図７に示すように、上記のようして立設した複数の支柱８０，８０の上端に金具６８を介して笠木６０を斜めに固定する。最後に、支柱８０，８０間に、金具６６により前記同様のパネル板Ｐを配置する。この結果、前記図１と同様にして、階段Ｓに手摺Ｔを取り付けた取付構造を形成することができる。
【００３１】
以上のような階段用手摺の取付構造によれば、ベース板７１のみからなるベース部材７０を用い、これを支柱８０の下端に固定した後、踏板支持用ブラケット２０ａの底広凹溝２２ａに嵌合（挿入）し且つ固定する。従って、支柱８０を含む手摺Ｔに上向きの外力が加わっても、係る手摺Ｔの抜け出しを確実に防止できるため、一層安全性が向上する。しかも、押出形材からなる上記ブラケット２０ａおよびベース部材７０（ベース板７１）を用いるため、支柱８０の立設位置精度も高く、踏板４０および上記ブラケット２０ａには、歩行者から視点でボルトなどの突起物がないため、デザイン性の点でも良好となる。
尚、上記支柱８０の下端に平板からなるベース部材をネジ７８により固定し、係るベース部材を、前記踏板支持用ブラケット２０の凹部２２に挿入し且つ固定することによって手摺Ｔを形成することも可能である。また、前記ベース板７１にの上に前記筒体５５を固定したベース部材とすることにより、前記ブラケット２０ａの上方に前記支柱５０を立設することも可能である。
【００３２】
図８，図９は、異なる形態の階段用桁Ｋ′およびこれを用いた階段Ｓと手摺Ｔの取付構造に関する。階段用桁Ｋ′は、図８に示すように、平行な一対の階段用桁ｋ１，ｋ２からなる。係る桁ｋ１，ｋ２は、互いに平行な上弦材１ａおよび下弦材１ｃと、これらの間に斜めに配置されるラチス材１２，１３と、これらの節点部材となるハブ６，１０とから形成される。即ち、桁ｋ１，ｋ２は、上弦材１ａ、下弦材１ｃ、およびラチス材１２，１３により形成され、交互に逆向きの連続した複数の三角形を有するトラス構造体である。尚、左右に隣接するハブ６，６間を水平な前記連結材９によって連結しても良い。
【００３３】
図８，図９（Ａ）に示すように、階段用桁ｋ１，ｋ２の上弦材１ａに沿って前記ズレ止め材３６を介しつつ、複数の踏板支持用ブラケット２０を上記桁ｋ１，ｋ２のハブ６，６間に跨って前記と同様にして固定する。尚、係るブラケット２０に替えて、前記踏板支持用ブラケット２０ａを同様に固定しも良い。
あるいは、図９（Ｂ）に示すように、階段用桁ｋ１，ｋ２のハブ６に、前記ブラケット２０，２０ａを短尺に切断した踏板支持用ブラケット２０′，２０ａ′を、前記と同様にして固定しても良い。
【００３４】
図９（Ａ），（Ｂ）に示すように、踏板支持用ブラケット２０，２０′の凹部２２に前記ベース部材５４のベース板５６を挿入・固定し且つ踏板４０を載置・固定することで階段Ｓを形成する。そして、係る踏板４０の両端部または一端部から立設する上記ベース部材５４の筒体５５を支柱５０の中空部２３を挿入して立設し、複数の支柱５０の上端に前記笠木６０を固定して前記手摺Ｔを形成する。
尚、階段用桁ｋ１，ｋ２の上に踏板支持用ブラケット２０ａ，２０ａ′を固定した場合は、それらの底広凹溝２２ａに前記ベース部材７０のベース板７１を側方から挿入し、係るベース板７１の上に予め固定した前記支柱８０の上端に前記笠木６０を固定し、且つ前記パネル板Ｐを配置して前記手摺Ｔを形成する。
短尺な踏板支持用ブラケット２０′，２０ａ′を用いることにより、階段Ｓの軽量化、素材の節約、および当該階段Ｓや手摺Ｔの設置位置に応じたデザインにすることが可能となる。尚、上記ブラケット２０′，２０ａ′の場合、前記キャップ３０は、左右外側の端面のみに固定しても良い。
【００３５】
本発明は、以上において説明した各形態に限定されるものではない。
例えば、図１０に示すように、左右の短辺に開口した切り欠き部９２を対称に有する踏板９０を用いて階段Ｓを形成しても良い。係る踏板９０を用いる場合、階段Ｓおよび手摺Ｔは、次のようにして形成および取り付けられる。
図１０に示すように、階段用桁Ｋの上に踏板支持用ブラケット２０を前記同様に固定し、係るブラケット２０の凹部２２における両端部の少なくとも一方に、ベース部材９４のベース板９６を挿入・固定する。係るベース部材９４は、矩形のベース板９６およびその外側寄りに立設する筒体９５からなる。
図１０中の矢印で示すように、ベース部材９４のベース板９６を凹部２２に挿入し、その四隅の通し孔９８から前記皿ネジ５９を凹部２２の底面の通し孔２８を介して、上記ブラケット２０内に配置した前記ナット３７に螺合する。
【００３６】
次に、踏板９０の切り欠き部９２が、踏板支持用ブラケット２０の両端部から立設する一対のベース部材９４の筒体９５を囲むように、当該踏板９０を上記ブラケット２０の上面２１に載置する。係る踏板９０の表面９１側から凹み部を含む通し孔９３に前記ボルト４６を挿通して、前記同様に当該踏板９０を固定することにより階段Ｓを形成する。係る状態で、上記ブラケット２０の両端面にキャップ３０を固定しする。尚、切り欠き部９２の寸法は、上記筒体９５の断面寸法よりもやや大きめに設定されている。
次いで、図１０中の矢印で示すように、前記支柱８０とほぼ同様で中空部８４が断面四角形の支柱８１を、各ベース部材９４の筒体９５に嵌合して立設する。係る支柱８１の本体８２における下部に穿孔した通し孔８８から図示しないネジを挿入し、筒体９５に刻設した雌ネジ孔９７に螺入する。尚、係る支柱８１の下端付近は、上記切り欠き部９２内に位置する。
【００３７】
そして、踏板９０の上面９１に前記シート４８を敷設し、上記支柱８１の上端に前記笠木６０を固定し、且つ前記パネル板Ｐを配置して手摺Ｔを形成する。
尚、図１０において、前記ベース部材５４および支柱５０を用いても良い。この際、踏板９０の切り欠き部９２は、奥部を半円形にすることが望ましい。
また、踏板９０の切り欠き部９２は、左右何れか一端部のみに設けても良い。
更に、図１０において、前記踏板支持用ブラケット２０ａ、ベース部材７０、および支柱８０を前記踏板９０と共に用いても良い。
加えて、図１０に示す形態において、階段用桁Ｋに替えて前記一対の桁ｋ１，ｋ２からなる階段用桁Ｋ′を用いても良い。この場合、短尺な前記踏板支持用ブラケット２０′，２０ａ′を用いると共に、以上のベース部材５４，７０，９４や支柱５０，８０，８１、あるいは踏板４０，９０をの何れか用いて階段Ｓの形成および手摺Ｔの取り付けが行われれる。
【００３８】
付言すれば、階段用桁は、無垢の木材または型鋼などの鋼材からなる中桁または側桁を用いて良い。また、踏板支持用ブラケットは、底広凹溝を含む凹部を上面に有するものであれば、金属板の曲げ加工材や鋳造材、あるいは木材の加工材を用いることも可能である。更に、ベース部材は、金属製の他、硬質合成樹脂からなる一体成形物を用いても良い。加えて、支柱および笠木は、金属材の表面における全体または一部に樹脂を被覆した複合材を用いることもできる。
本発明は、その趣旨を逸脱しない範囲で種々に変更することが可能である。
【図面の簡単な説明】
【図１】本発明の階段用手摺の取付構造を適用して係る手摺を取り付けた階段を示す側面図。
【図２】（Ａ），（Ｂ）は図１の階段を構成する階段用桁またはこれを構成する要素を示す概略。
【図３】図１に示した階段用手摺の取付構造を示す分解斜視図。
【図４】図１に示した階段用手摺の取付構造を形成する状態を示す垂直断面図。
【図５】図４に続いて階段用手摺の取付構造を形成した状態を示す垂直断面図。
【図６】異なる形態の階段用手摺の取付構造を形成する状態を示す垂直断面図。
【図７】図６に続いて階段用手摺の取付構造を形成した状態を示す垂直断面図。
【図８】異なる形態の階段用桁などを示す概略図。
【図９】（Ａ），（Ｂ）は図８の階段用桁を用いて階段の形成および階段用手摺を取り付ける状態を示す概略図。
【図１０】更に異なる形態の階段用手摺の取付構造を形成する状態を示す分解斜視図。
【図１１】（Ａ），（Ｂ）は従来における階段用手摺の取付構造を示す概略図。
【符号の説明】
２０，２０′，２０ａ，２０′…踏板支持用ブラケット
２１…………………………………上面
２２…………………………………凹部
２２ａ………………………………底広凹溝（凹部）
４０，９０…………………………踏板
４２…………………………………挿通孔
５０，８０，８１…………………支柱
５１ａ，８４………………………中空部
５４，７０，９４…………………ベース部材
５５，９５…………………………筒体
５６，７１，９６…………………ベース板
６０…………………………………笠木
７２…………………………………側辺
７４…………………………………凸条
７８…………………………………ネジ
８６…………………………………ネジ受け
９２…………………………………切り欠き部
Ｋ，Ｋ′，ｋ１，ｋ２……………階段用桁
Ｓ……………………………………階段
Ｔ……………………………………階段用手摺
【図１】
2004176406.tif 000003
【図２】
2004176406.tif 000004
【図３】
2004176406.tif 000005
【図４】
2004176406.tif 000006
【図５】
2004176406.tif 000007
【図６】
2004176406.tif 000008
【図７】
2004176406.tif 000009
【図８】
2004176406.tif 000010
【図９】
2004176406.tif 000011
【図１０】
2004176406.tif 000012
【図１１】
2004176406.tif 000013